(57)【要約】【課題】さいころとしての使い易さや意匠性を損なうことなく、かつ、誤飲の際に気道を確保することができ、安全に使用することのできるさいころを提供する。【解決手段】１から６のさいころ目がそれぞれ一つずつ形成された六つの面を有するさいころ１００において、さいころ目となる孔部１１が形成された中空の正六面体により構成されたさいころ基枠１と、さいころ基枠１の内部に収納され、外側から見たときに各一つの面の孔部１１を通して他の面の孔部１１が見通せないような目隠し機能を有する目隠し部材３と、を備え、さいころ基枠１の内面と目隠し部材３の外面との間には孔部１１の全てを連通させる気路が形成されている。【選択図】図３
2010240228.tif 000002
【特許請求の範囲】
【請求項１】
１から６のさいころ目がそれぞれ一つずつ形成された六つの面を有するさいころにおいて、
前記さいころ目となる孔部が形成された中空の正六面体により構成されたさいころ基枠と、
前記さいころ基枠の内部に収納され、外側から見たときに各一つの面の前記孔部を通して他の面の前記孔部が見通せないような目隠し機能を有する目隠し部材と、を備え、
前記さいころ基枠の内面と前記目隠し部材の外面との間には前記孔部の全てを連通させる気路が形成されていることを特徴とするさいころ。
【請求項２】
１、２及び３のさいころ目が形成された３つの前記面により形成される角部に少なくとも１つの前記孔部が位置するように、２、３のさいころ目の配列方向が定められていることを特徴とする請求項１に記載のさいころ。
【請求項３】
前記目隠し部材の外面には、前記さいころ基枠の内部に収納する際の方向を示す指標が付設されていることを特徴とする請求項１又は請求項２に記載のさいころ。
【請求項４】
前記目隠し部材は、さいころ基枠の各面と平行な面を有する六面体によって構成された目隠し部材本体を備え、前記目隠し部材本体の辺部には、部分的に、前記目隠し機能を有するリブが形成されていることを特徴とする請求項１から請求項３のいずれか一項に記載のさいころ。
【請求項５】
前記目隠し部材は、２つの構成部材を接合することにより構成され、
前記２つの構成部材の接合部分は、前記さいころ基枠の外側から見たときに前記孔部を通して見通せないような位置に存在していることを特徴とする請求項１から請求項４のいずれか一項に記載のさいころ。
【請求項６】
前記さいころ基枠の外面は白色、前記目隠し部材の外面は黒色又は赤色であることを特徴とする請求項１から請求項５のいずれか一項に記載のさいころ。
【請求項７】
前記さいころ基枠の１辺の寸法は、１２ｍｍ〜４０ｍｍであることを特徴とする請求項１から請求項６のいずれか一項に記載のさいころ。
【発明の詳細な説明】
【技術分野】
【０００１】
本発明は、さいころに関するものである。
【背景技術】
【０００２】
さいころ等の玩具は、子どもが使用することが想定されるものであり、高度な安全性が求められる。
玩具の安全性については、幼児が飲み込まないように（すなわち、誤飲を防ぐため）、スモールパーツを規制する安全基準などがある。
特に、さいころは、子どもが手にとって遊ぶものであり、形状もキャラメル等の菓子に似ていることから、子どもが誤って口に入れる危険性が高い。このため、安全性の観点からは、さいころは、仮に子どもが誤ってさいころを飲み込んでも喉に詰まらせることがなく（すなわち、気道を塞ぐことがなく）、排出可能な大きさである１２ｍｍ×１２ｍｍ程度までの小サイズとするか、又は誤飲の危険のない（すなわち、飲み込むことのできない）４０ｍｍ×４０ｍｍ程度の大サイズとすることが好ましい。
【０００３】
しかし、小サイズや大サイズのさいころでは子どもの手では扱い難いとの問題がある。そこで、さいころを広く楽しんでもらうためには、子どもが使用するのに適した中サイズとすることが望まれる。
ただ、このような中サイズのさいころについて、十分な安全性を確保するためには、仮に誤飲事故が起こった場合でも、確実に気道を確保することができ、喉を詰まらせて窒息することのないような構成とすることが必要である。
【０００４】
この点、ホットメルトインクからなるインクペレットについて、対向する面を貫通する孔を設けたものが提案されている（例えば、特許文献１参照）。インクジェット記録装置に用いられるインクペレットは、一見するとキャラメル等の菓子にサイズ・形状が似ており、子どもが誤って飲み込むおそれがある。この点、インクペレットに貫通孔を設ければ仮にインクペレットを誤飲しても気道が塞がれることがなく、窒息の危険を回避することができる。
【０００５】
また、立方体又は多面体の各面に凹部や溝部を設けた立体ブロックを複数個繋ぎ合わせるブロック玩具において、各ブロックを柔らかい材料で形成されたリング状等の接合材を介して接合させる構成が開示されている（例えば、特許文献２参照）。これによれば、子どもが誤って接合材を飲み込んだ場合でも、気管を損傷したり、喉に詰まらせて窒息したりすることを防止することができる。
【先行技術文献】
【特許文献】
【０００６】
【特許文献１】特開２０００−２８０４６２号公報
【特許文献２】特開２０００−２１０４７８号公報
【発明の概要】
【発明が解決しようとする課題】
【０００７】
しかしながら、さいころの場合には、互いに対向する面のさいころ目を加算すると「７」となるようにさいころ目が配置されるようになっており、どの角度でさいころを飲み込んでも気道を確保できるような貫通孔をさいころに直接設けることは、さいころのデザイン上困難であるとの問題がある。
【０００８】
また、さいころは転がして使用するものであり、ある程度の硬さが要求される。このため、さいころを、飲み込んでも喉を詰まらせるおそれのないような柔らかい材料で形成することも実現が困難である。
【０００９】
そこで、本発明は以上のような事情に鑑みてなされたものであり、さいころとしての使い易さや意匠性を損なうことなく、かつ、誤飲の際に気道を確保することができ、安全に使用することのできるさいころを提供することを目的とするものである。
【課題を解決するための手段】
【００１０】
前記の問題を解決するために、本発明のさいころは、
１から６のさいころ目がそれぞれ一つずつ形成された六つの面を有するさいころにおいて、
前記さいころ目となる孔部が形成された中空の正六面体により構成されたさいころ基枠と、
前記さいころ基枠の内部に収納され、外側から見たときに各一つの面の前記孔部を通して他の面の前記孔部が見通せないような目隠し機能を有する目隠し部材と、を備え、
前記さいころ基枠の内面と前記目隠し部材の外面との間には前記孔部の全てを連通させる気路が形成されていることを特徴とする。
【００１１】
請求項２に記載の発明は、請求項１に記載のさいころであって、
１、２及び３のさいころ目が形成された３つの前記面により形成される角部に少なくとも１つの前記孔部が位置するように、２、３のさいころ目の配列方向が定められていることを特徴とする。
【００１２】
請求項３に記載の発明は、請求項１又は請求項２に記載のさいころであって、
前記目隠し部材の外面には、前記さいころ基枠の内部に収納する際の方向を示す指標が付設されていることを特徴とする。
【００１３】
請求項４に記載の発明は、請求項１から請求項３のいずれか一項に記載のさいころであって、
前記目隠し部材は、さいころ基枠の各面と平行な面を有する六面体によって構成された目隠し部材本体を備え、前記目隠し部材本体の辺部には、部分的に、前記目隠し機能を有するリブが形成されていることを特徴とする。
【００１４】
請求項５に記載の発明は、請求項１から請求項４のいずれか一項に記載のさいころであって、
前記目隠し部材は、２つの構成部材を接合することにより構成され、
前記２つの構成部材の接合部分は、前記さいころ基枠の外側から見たときに前記孔部を通して見通せないような位置に存在していることを特徴とする。
【００１５】
請求項６に記載の発明は、請求項１から請求項５のいずれか一項に記載のさいころであって、
前記さいころ基枠の外面は白色、前記目隠し部材の外面は黒色又は赤色であることを特徴とする。
【００１６】
請求項７に記載の発明は、請求項１から請求項６のいずれか一項に記載のさいころであって、
前記さいころ基枠の１辺の寸法は、１２ｍｍ〜４０ｍｍであることを特徴とする。
【発明の効果】
【００１７】
請求項１に記載の発明によれば、さいころを飲み込んだ際に、気道を確保することができるとの効果を奏する。
また、孔部を通して他の面の孔部が見えないようになっているので、意匠的にも好ましい。
【００１８】
請求項２に記載の発明によれば、１、２及び３のさいころ目が形成された３つの面により形成される角部を下側にしてさいころを飲み込んだ際にも、気道を確保することができるとの効果を奏する。
【００１９】
請求項３に記載の発明によれば、さいころ基枠への目隠し部材の収納が容易となるとの効果を奏する。
【００２０】
請求項４に記載の発明によれば、孔部に少し目を近付けて斜め方向に内部を見た場合にも、他の面の孔部が視認できないように目隠しすることができるとの効果を奏する。
【００２１】
請求項５に記載の発明によれば、２つの構成部材からなる目隠し部材を接合した際に形成される線が孔部から視認できないため、意匠性が高いとの効果を奏する。
【００２２】
請求項６に記載の発明によれば、通常のさいころと同様の意匠的効果を得ることができるとの効果を奏する。
【００２３】
請求項７に記載の発明によれば、子ども等が使うのに適したサイズであるが、誤飲の危険があり、誤飲した際には喉に詰まるおそれがあるサイズのさいころであっても、さいころを飲み込んだ際には、気道を確保することができるため、安全に使用することができるとの効果を奏する。
【図面の簡単な説明】
【００２４】
【図１】本実施形態に係るさいころを第１の面、第２の面、第３の面が見える方向から見た外観斜視図である。
【図２】本実施形態に係るさいころを第４の面、第５の面、第６の面が見える方向から見た外観斜視図である。
【図３】図１に示すさいころの第２の基枠部材を外した状態を示す斜視図である。
【図４】図１に示すさいころの第１の基枠部材を外した状態を示す斜視図である。
【図５】図２に示すさいころの第２の基枠部材を外した状態を示す斜視図である。
【図６】図６（ａ）は、さいころ基枠の第１の面を示す平面図であり、図６（ｂ）は、図６（ａ）に示す面に対応する目隠し部材の面を示す平面図である。
【図７】図７（ａ）は、さいころ基枠の第４の面を示す平面図であり、図７（ｂ）は、図７（ａ）に示す面に対応する目隠し部材の面を示す平面図である。
【図８】図８（ａ）は、さいころ基枠の第６の面を示す平面図であり、図８（ｂ）は、図８（ａ）に示す面に対応する目隠し部材の面を示す平面図である。
【図９】図９（ａ）は、さいころ基枠の第３の面を示す平面図であり、図９（ｂ）は、図９（ａ）に示す面に対応する目隠し部材の面を示す平面図である。
【図１０】図１０（ａ）は、さいころ基枠の第５の面を示す平面図であり、図１０（ｂ）は、図１０（ａ）に示す面に対応する目隠し部材の面を示す平面図である。
【図１１】図１１（ａ）は、さいころ基枠の第２の面を示す平面図であり、図１１（ｂ）は、図１１（ａ）に示す面に対応する目隠し部材の面を示す平面図である。
【図１２】図１２は、さいころの一変形例を示す断面図であり、図１２（ａ）は、さいころの第１の面側を示す断面図であり、図１２（ｂ）は、さいころの第６の面側を示す断面図である。
【図１３】図１３（ａ）は、図１２に示すさいころの第１の基枠部材の斜視図であり、図１３（ｂ）は、図１２に示すさいころの第２の基枠部材の斜視図である。
【図１４】図１４（ａ）は、一つの面に位置決め突部を非対称位置に設けた変形例を示す平面図であり、図１４（ｂ）は、一つの面に位置決め突部を３つ設けた変形例を示す平面図である。
【発明を実施するための形態】
【００２５】
以下、図１から図１１を参照しつつ、本発明に係るさいころの一実施形態について詳細に説明する。ただし、発明の範囲は、図示例に限定されない。
【００２６】
図１及び図２は、本実施形態におけるさいころの外観をそれぞれ反対の角度から見た斜視図である。
本実施形態において、さいころ１００は、１から６のさいころ目がそれぞれ一つずつ形成された六つの面を有する正六面体形状であり、互いに対向する面のさいころ目を加算すると「７」となるように各面にさいころ目が配置されている。なお、さいころ１００（さいころ１００を構成するさいころ基枠１）の１辺の寸法は、１２ｍｍ〜４０ｍｍ、より好ましくは１２ｍｍ〜３０ｍｍであることが望ましいが、これに限定されない。
なお、さいころ１００の角部Ｃ等が鋭利である場合には、さいころ１００を使用する際や、誤って飲み込んだりした場合に怪我をする危険がある。このため、角部Ｃ及び辺部には、面取りを施して多少丸みをつけることが好ましい。
【００２７】
さいころ１００は、各面にさいころ目となる孔部１１が形成された中空の正六面体により構成されているさいころ基枠１と、このさいころ基枠１の内部に収納される目隠し部材３とから構成されている。
【００２８】
なお、図１から図４においては、本実施形態におけるさいころ１００を、３のさいころ目となる孔部１１が形成された面（これを以下「第３の面１２ｃ」という。）の側を下側とし、４のさいころ目となる孔部１１が形成された面（これを以下「第４の面１２ｄ」という。）の側を上側とし、周面に１のさいころ目となる孔部１１が形成された面（これを以下「第１の面１２ａ」という。）、２のさいころ目となる孔部１１が形成された面（これを以下「第２の面１２ｂ」という。）、５のさいころ目となる孔部１１が形成された面（これを以下「第５の面１２ｅ」という。）、６のさいころ目となる孔部１１が形成された面（これを以下「第６の面１２ｆ」という。）がそれぞれ配置されるようにして載置した状態を図示している。なお、さいころ目の配置、各面の配置等は図示例に限定されない。
【００２９】
さいころ基枠１は、外面が白色であり、例えばプラスチックその他、各種樹脂等により形成されている。なお、さいころ基枠１を形成する材料は特に限定されない。
さいころ基枠１は、第３の面１２ｃを底面としさいころ基枠１の下側ほぼ半分を構成する第１の基枠部材２１と、第４の面１２ｄを上面としさいころ基枠１の上側ほぼ半分を構成する第２の基枠部材２２とからなり、この第１の基枠部材２１と第２の基枠部材２２とを接合することにより構成されている。
図３は、図１に示すさいころ１００から第２の基枠部材２２を外した状態を示す斜視図であり、図４は、第１の基枠部材２１を外した状態を示す斜視図である。また、図５は、図２に示すさいころ１００から第２の基枠部材２２を外した状態を示す斜視図である。
【００３０】
第１の基枠部材２１は、一端側（図３に示す上側）が開口する箱型に形成されており、第１の面１２ａ、第２の面１２ｂ、第５の面１２ｅ、第６の面１２ｆのそれぞれ下側半分を構成する側壁を備えている。側壁の上端縁部には、さいころ基枠１の外周よりも径が小さく形成され、第２の基枠部材２２と嵌め合わされる嵌合縁部２１ａが立設されている。
【００３１】
第２の基枠部材２２は、一端側（図４に示す下側）が開口する箱型に形成されており、第１の面１２ａ、第２の面１２ｂ、第５の面１２ｅ、第６の面１２ｆのそれぞれ上側半分を構成する側壁を備えている。側壁の下端部内側には、第１の基枠部材２１の嵌合縁部２１ａと嵌め合わされる嵌合段差部２２ａが形成されている。
第１の基枠部材２１と第２の基枠部材２２とは、嵌合縁部２１ａと嵌合段差部２２ａとを嵌め合わせた後、溶着、接着等の手法により接合部分１３が固定される。
接合部分１３を固定する手法としては、例えば、第１の基枠部材２１及び第２の基枠部材２２が熱可塑性樹脂で形成されている場合には、その接合部分１３に微細な超音波振動と加圧力とを同時にかけることにより、接合面に強力な摩擦熱を発生させて、樹脂を瞬時に溶融・接合させる超音波溶着等の手法を用いることができる。なお、第１の基枠部材２１と第２の基枠部材２２との接合部分１３を固定する手法は、超音波溶着に限定されず、さいころ基枠１を形成する材料に応じた各種の手法によることが可能である。
【００３２】
第３の面１２ｃの内側面には、さいころ基枠１に収納される目隠し部材３の位置決め突部３５ｂ，３５ｃ（後述）に対応する位置に位置決めのための位置決めマーク（図示せず）が付されている。また、第４の面１２ｄには、目隠し部材３の位置決め突部３５ａ（後述）に対応する位置に位置決めのための位置決めマーク（図示せず）が付されている。
【００３３】
また、図１に示すように、本実施形態において、第２の面１２ｂに設けられている２つの孔部１１（さいころ目）のうちの一方は、第１の面１２ａ、第２の面１２ｂ及び第３の面１２ｃの３つの面により形成される角部Ｃに位置するように、孔部１１の配列方向が定められている。
なお、第２の面１２ｂに設けられている孔部１１又は第３の面１２ｃに設けられている孔部１１（さいころ目）のうちの少なくとも１つが第１の面１２ａ、第２の面１２ｂ及び第３の面１２ｃの３つの面により形成される角部Ｃに位置するようになっていればよく、孔部１１（さいころ目）の配列方向は図示例に限定されない。
例えば、第２の面１２ｂに設けられている２つの孔部１１ではなく、第３の面１２ｃに設けられている３つの孔部１１のうちのいずれかが第１の面１２ａ、第２の面１２ｂ及び第３の面１２ｃの３つの面により形成される角部Ｃに位置するように配列されていてもよいし、第２の面１２ｂに設けられている孔部１１及び第３の面１２ｃに設けられている孔部１１がともに１つずつ第１の面１２ａ、第２の面１２ｂ及び第３の面１２ｃの３つの面により形成される角部Ｃに位置するように配列されていてもよい。
【００３４】
目隠し部材３は、さいころ基枠１の内径よりもわずかに小さく形成されており、さいころ基枠１の内部に収納可能となっている。目隠し部材３は、中空、中実いずれであってもよく、例えばプラスチックその他、各種樹脂等により形成されている。なお、目隠し部材３を形成する材料は特に限定されない。
また、目隠し部材３は、少なくともさいころ基枠１の孔部１１を通して視認できる表面の色が黒色であることが好ましいが、これに限定されない。例えば、さいころ基枠１の第１の面１２ａに対応する面のみを赤色とし、１のさいころ目となる孔部１１から赤色が視認できるようにしてもよい。また、目隠し部材３の各面毎に異なる色としてもよい。
【００３５】
目隠し部材３は、さいころ基枠１の各面と平行な面を有する六面体によって構成された目隠し部材本体３１を備えている。
また、本実施形態において、この目隠し部材本体３１の辺部には、部分的に、目隠し機能を有するリブ３２が形成されており、目隠し部材３をさいころ基枠１内に収納した際には、このリブ３２の端部がさいころ基枠１の内面に当接又はさいころ基枠１の内面との間に僅かな間隙を保って配置されるようになっている。
具体的には、目隠し部材３の各面の４つの角部Ｃには、それぞれ辺に沿ってリブ３２が設けられており、同一の辺上に配置される各リブ３２同士の間には間隙が設けられている。これにより、目隠し部材３をさいころ基枠１内に収納した際に、さいころ基枠１の内面と目隠し部材３の外面との間に孔部１１の全てを連通させる気路が形成され、誤飲した際に空気の流通が可能な経路が確保でき、気道を閉塞しないようになっている。
【００３６】
本実施形態において、目隠し部材３は、第１の面１２ａ側のほぼ半分を構成する第１の構成部材４１と、第６の面１２ｆ側のほぼ半分を構成する第２の構成部材４２とからなり、この第１の構成部材４１と第２の構成部材４２とを接合することにより構成されている。すなわち、目隠し部材３が中空である場合には、第１の構成部材４１及び第２の構成部材４２の各開口側の端部同士を突き合わせて結合される。また、目隠し部材３が中実である場合には、第１の構成部材４１及び第２の構成部材４２の端面同士を突き合わせて結合される。
なお、第１の構成部材４１と第２の構成部材４２との接合部分３３を固定する手法としては、第１の基枠部材２１と第２の基枠部材２２との接合部分１３を固定する場合と同様、超音波溶着等を用いることができるが、その手法は特に限定されず、目隠し部材３を形成する材料に応じた各種の手法によることが可能である。
【００３７】
図６（ａ）は、さいころ基枠１の第１の面１２ａの平面図であり、図６（ｂ）は、さいころ基枠１の第１の面１２ａに対応する目隠し部材３の面の平面図である。同様に、図７（ａ）から図１１（ａ）は、さいころ基枠１の第２の面１２ｂから第６の面１２ｆの平面図であり、図７（ｂ）から図１１（ｂ）は、さいころ基枠１の第２の面１２ｂから第６の面１２ｆに対応する目隠し部材３の各面の平面図である。
なお、図６（ｂ）から図１１（ｂ）においては、目隠し部材３の各面に対応するさいころ基枠１の孔部１１の位置を二点鎖線で表している。
【００３８】
図６（ａ）、図８（ａ）、図１０（ａ）、図１１（ａ）に示すように、さいころ基枠１の第１の面１２ａ、第６の面１２ｆ、第５の面１２ｅ、第２の面１２ｂには、ほぼ中央部に第１の基枠部材２１と第２の基枠部材２２との接合部分１３が現れている。
【００３９】
また、図７（ｂ）、図９（ｂ）、図１０（ｂ）、図１１（ｂ）に示すように、さいころ基枠１の第４の面１２ｄ、第３の面１２ｃ、第５の面１２ｅ、第２の面１２ｂに対応する目隠し部材３の各面には、ほぼ中央部に第１の構成部材４１と第２の構成部材４１との接合部分３３が現れている。
【００４０】
なお、図９（ａ）及び図１０（ａ）に示すように、さいころ基枠１における第３の面１２ｃ及び第５の面１２ｅにおいては、面のほぼ中央部に孔部１１が存在するため、これらの面に対向する目隠し部材３の面の中央部に第１の構成部材４１と第２の構成部材４２との接合部分３３が存すると、孔部１１を通して外部から接合部分３３の線を視認でき、意匠性の観点から好ましくない。
そこで、本実施形態では、図９（ｂ）及び図１０（ｂ）に示すように、目隠し部材３の、さいころ基枠１における第３の面１２ｃに対向する面及び第５の面１２ｅに対向する面については、孔部１１に対応する位置を避けて面の中央部分をコ字状に回避するように接合部分３３が設けられている。
なお、第１の構成部材４１と第２の構成部材４２との接合部分３３が孔部１１を通して視認されないような構成になっていればよく、孔部１１に対応する箇所の回避の仕方、接合部分３３の形状等は図示例に限定されない。
【００４１】
また、図７（ｂ）及び図９（ｂ）に示すように、目隠し部材本体３１の外面であって、さいころ基枠１における第４の面１２ｄ及び第３の面１２ｃに対向する面には、目隠し部材３をさいころ基枠１の内部に収納する際の方向等を示す指標としての位置決め突部３５ａ，３５ｂ，３５ｃが付設されている。
すなわち、目隠し部材３の、さいころ基枠１における第４の面１２ｄに対向する面には、ほぼ中央部にほぼ円筒状の位置決め突部３５ａが立設されている（図７（ｂ）及び図３）。また、さいころ基枠１における第３の面１２ｃに対向する面であって、第１の構成部材４１の側面のほぼ中央部には、ほぼ円筒状の位置決め突部３５ｂが立設されている（図９（ｂ）及び図４）。そして、さいころ基枠１における第６の面１２ｆに対向する面であって、第２の構成部材４２の側面のほぼ中央部には、ほぼ四角柱状の位置決め突部３５ｃが立設されている（図９（ｂ）及び図４）。位置決め突部３５ａ，３５ｂ，３５ｃは、リブ３２の高さと同じかそれ以下の高さに形成されており、目隠し部材３をさいころ基枠１の中に収納した際にさいころ基枠１の内面に突き当たって第１の基枠部材２１と第２の基枠部材２２との接合を阻害しないようになっている。なお、位置決め突部３５ａ，３５ｂ，３５ｃの形状、数、及びこれを設ける位置等は図示例に限定されない。
【００４２】
次に、本実施形態に係るさいころ１００の組立方法について説明する。
【００４３】
まず、第１の構成部材４１と第２の構成部材４２とを接合部分３３が噛み合うようにして接合し、超音波溶着等の手法を用いて接合部分３３を固定して目隠し部材３を形成する。
次に、第１の基枠部材２１の中に目隠し部材３を収納する。このとき、目隠し部材３に設けられた位置決め突部３５ｂ，３５ｃの位置を第１の基枠部材２１の第３の面１２ｃに設けられた位置決めマークに合わせることにより目隠し部材３の位置決めを行い、目隠し部材３が適切な位置・向きで第１の基枠部材２１の中に収納されるように調整する。
【００４４】
さらに、第１の基枠部材２１の上から第２の基枠部材２２を嵌め合わせる。このとき、第１の基枠部材２１の第４の面１２ｄに設けられた位置決めマークを目隠し部材３に設けられた位置決め突部ａの位置に合わせることにより位置決めを行う。
また、第１の基枠部材２１に設けられた孔部１１の位置と第２の基枠部材２２に設けられた孔部１１の位置とを合わせ、第１の基枠部材２１と第２の基枠部材２２とを嵌め合わせた際にさいころ基枠１の各周面のさいころ目が適切に配列されるようにする。
これにより、さいころ１００は、第１の面１２ａ、第２の面１２ｂ及び第３の面１２ｃの３つの面により形成される角部Ｃを含めて、全ての角部Ｃに少なくとも一つの孔部１１が配置される。また、第１の基枠部材２１及び第２の基枠部材２２の内側面と目隠し部材３との間には、リブ３２によって間隙が確保されており、このリブ３２によって形成される間隙と孔部１１とにより、さいころ１００を誤って飲み込んだ際等の空気の流通が可能な経路が確保される。また、孔部１１を斜め方向から見た場合にも目隠し部材３によってさいころ基枠１の内部が遮蔽され、他の面の孔部１１が外部から見通すことができないようになる。
そして、第１の基枠部材２１と第２の基枠部材２２とを適切な向きで嵌め合わせた後、その接合部分１３を超音波溶着等の手法を用いて固定する。これにより、さいころ１００が完成する。
【００４５】
以上のように、本実施形態によれば、全ての角部Ｃに少なくとも一つの孔部１１が配置されるようにさいころ目を配列し、この孔部１１とリブとにより空気の流通経路を確保することができる。このため、子ども等が誤ってさいころを飲み込んだ際等にも、十分に空気の流通が可能な経路を確保することができ、気道を閉塞することがなく、安全に使用することができる。
【００４６】
また、リブ３２の設けられた目隠し部材３をさいころ基枠１の中に収納することにより、孔部１１を斜め方向から見た場合にも他の面の孔部１１が外部から視認できない。このため、意匠的にも優れている。
【００４７】
また、目隠し部材３に位置決め突部３５ａ，３５ｂ，３５ｃを設け、目隠し部材３をさいころ基枠１内部に収納する際には、この位置決め突部３５ａ，３５ｂ，３５ｃとさいころ基枠１の内面に設けられた位置決めマークとを合わせることにより、目隠し部材３を適切な位置・方向でさいころ基枠１内に配置することができ、さいころ基枠１への目隠し部材３の収納が容易となる。
【００４８】
また、目隠し部材３を構成する第１の構成部材４１と第２の構成部材４２とを接合する接合部分３３が孔部１１の位置を回避して設けられているため、接合部分３３が孔部１１から視認できない。このため、意匠性に優れている。
【００４９】
また、さいころ基枠１の外面は白色であり、さいころ基枠１内に収納される目隠し部材３の表面は黒色となっているので、外部から黒色のさいころ目を視認することができ、通常のさいころと同様の視覚的・意匠的効果を得ることができる。
【００５０】
また、本実施形態におけるさいころ１００は、１辺の寸法が１２ｍｍ〜４０ｍｍであり、子ども等が使うのに適したサイズであるが、誤飲の危険があり、誤飲した際には喉に詰まるおそれがある。しかし、このようなサイズのさいころ１００であっても、誤って飲み込んだ際には前記のように十分に空気の流通が可能な経路を確保することができるので、安全に使用することができる。
【００５１】
なお、本実施形態においては、目隠し部材３の全ての面にリブ３２を設ける構成としたが、リブ３２は全ての面に設けられていなくてもよい。
例えば、図１２に示すように、さいころ基枠１の第１の面１２ａに対応する面（図１２（ａ）参照）及びさいころ基枠１の第６の面１２ｆに対応する面（図１２（ｂ）参照）にはリブ３２を設けない構成としてもよい。ただ、この場合、目隠し部材３が、さいころ基枠１の第１の面１２ａと第６の面１２ｆとの間でがたつくという問題がある。また、目隠し部材３が所定位置からずれると、リブ３２の位置もずれるため、さいころ基枠１の孔部１１から斜め方向に内部を見た場合に、他の面の孔部１１が見えてしまうおそれがあるとの問題もある。
そこで、この場合には、例えば、図１２（ａ）及び図１２（ｂ）に示すように、目隠し部材３に設ける位置決め突部３７をリブ３２よりも外側に突出するように形成する。そして、さいころ基枠１の内側面であって位置決め突部３７に対応する位置に、位置決め突部３７を受けて、これを係合させる凹部１５を設ける。図１３（ａ）は、このような構成の第１の基枠部材２１の斜視図であり、図１３（ｂ）は、第１の基枠部材２２の斜視図である。凹部１５は、位置決め突部３７を受けることができる大きさ及び形状であって、かつ、貫通しない深さに形成される。
このように、位置決め突部３７をリブ３２よりも外側に突出させて、これをさいころ基枠１側に形成された凹部１５に係合させることにより、目隠し部材３の一部の面にリブ３２を設けなくてもさいころ基枠１内で目隠し部材３ががたつくのを抑えることができる。また、目隠し部材３が所定位置からずれないので、さいころ基枠１の孔部１１から斜め方向に内部を見た場合にも、他の面の孔部１１がリブ３２により目隠しされて外部から視認できないようにすることができる。
なお、リブ３２を設けない面は、さいころ基枠１の第１の面１２ａに対応する面又は第６の面１２ｆに対応する面のいずれか一方のみであってもよい。
【００５２】
また、本実施形態では、位置決め突部３５ａ，３５ｂ，３５ｃのうちさいころ基枠１における第３の面１２ｃに対応する面に設けられる位置決め突部３５ｃの形状を他の位置決め突部と異なる形状とすることによって、正確に位置決めを行うことができるようにしたが、位置決め突部３５ａ，３５ｂ，３５ｃの形状等はこれに限定されない。
例えば、図１４（ａ）に示すように、さいころ基枠１における第３の面１２ｃに対応する面に同じ形状の２つの位置決め突部３８ａ，３８ｂを設け、その一方を図１４（ａ）における左右方向の中心位置からずれた位置に配置することにより、位置の特定ができるように構成してもよい。
また、例えば、図１４（ｂ）に示すように、さいころ基枠１における第３の面１２ｃに対応する面に同じ形状の位置決め突部３９ａ，３９ｂ，３９ｃを３つ設け、この位置決め突部３９ａ，３９ｂ，３９ｃのうち１つを第１の構成部材４１側に、他の２つを第２の構成部材４２側に配置することにより、位置の特定ができるように構成してもよい。
【００５３】
また、本実施形態では、目隠し部材３に設けられたリブ３２の端部がさいころ基枠１の内面に当接又はさいころ基枠１の内面との間に僅かな間隙を保って配置されるように構成したが、リブ３２とさいころ基枠１の内面との間隔はこれに限定されない。例えば、目隠し部材３が多少の遊びをもってさいころ基枠１内に収納される構成としてもよい。なお、この場合、さいころ基枠１の孔部１１から斜め方向に内部を見た場合にも、他の面の孔部１１がリブ３２により目隠しされて外部から視認できない程度の遊びであることが必要である。
【００５４】
また、本実施形態では、第１の基枠部材２１と第２の基枠部材２２とを接合する手法として、まず嵌合縁部２１ａと嵌合段差部２２ａとを嵌め合わせた上で超音波溶着等による接合部分１３の固定を行うように構成したが、例えば、嵌合縁部２１ａ及び嵌合段差部２２ａを設けず、第１の基枠部材２１と第２の基枠部材２２との接合面を超音波溶着等による溶着、接着等の手法により固定するようにしてもよい。
【００５５】
また、本実施形態では、さいころ基枠１を、ほぼ中央部で接合される２つの部材（すなわち、第１の基枠部材２１及び第１の基枠部材２２）で構成する例を示したが、第１の基枠部材２１と第２の基枠部材２２とを切り分ける位置は本実施形態で示したものに限定されない。例えば第１の基枠部材２１及び第２の基枠部材２２のうちのいずれかが大きくいずれかが小さいというように非対称であってもよい。また、例えばさいころ１００を斜めに切り分けるようにさいころ基枠１の対角線において第１の基枠部材２１と第２の基枠部材２２とを切り分けるようにしてもよい。
【００５６】
また同様に、本実施形態では、目隠し部材３を、ほぼ中央部で接合される２つの部材（すなわち、第１の構成部材４１及び第２の構成部材４２）で構成する例を示したが、第１の構成部材４１と第２の構成部材４２とを切り分ける位置は本実施形態で示したものに限定されない。例えば第１の構成部材４１及び第２の構成部材４２のうちのいずれかが大きくいずれかが小さいというように非対称であってもよい。また、例えばさいころ１００を斜めに切り分けるように目隠し部材３の対角線において第１の構成部材４１と第２の構成部材４２とを切り分けるようにしてもよい。
【００５７】
また、本実施形態では、目隠し部材３を第１の構成部材４１及び第２の構成部材４２の２つの部材で構成する例を示したが、目隠し部材３を一体的に成型してもよい。
【００５８】
また、本実施形態では、さいころ基枠１を水平方向（図１から図５における水平方向）に切り分け、目隠し部材３を垂直方向（図１から図５における垂直方向）に切り分けて、さいころ基枠１の中に目隠し部材３を収納する例を示したが、さいころ基枠１及び目隠し部材３を切り分ける方向はこれに限定されない。例えば、さいころ基枠１及び目隠し部材３が同一方向に切り分けられていてもよい。
【００５９】
また、本実施形態では、正六面体の形状のさいころ１００を例として説明したが、さいころの形状は正六面体に限定されず、さらに正多面体のものであってもよい。
【００６０】
また、本実施形態では、目隠し部材３として、立方体形状の部材にリブ３２を設けることにより、目隠し機能と、気道確保とを実現する構成としたが、目隠し部材３の形状等はここに例示したものに限定されない。例えば、目隠し部材３を中空の網状に形成し、目隠し機能と、気道確保とを実現する構成としてもよい。
【００６１】
また、その他、本発明が上記の実施形態に限定されず、適宜変更可能であることはいうまでもない。
【符号の説明】
【００６２】
１      さいころ基枠
３      目隠し部材
１１    孔部
１５    凹部
２１    第１の基枠部材
２１ａ  嵌合縁部
２２    第２の基枠部材
２２ａ  嵌合段差部
３１    目隠し部材本体
３２    リブ
３５ａ，３５ｂ，３５ｃ  位置決め突部
３７    位置決め突部
３８ａ，３８ｂ  位置決め突部
３９ａ，３９ｂ，３９ｃ  位置決め突部
４１    第１の構成部材
４２    第２の構成部材
１００  さいころ
Ｃ      角部
【図１】
2010240228.tif 000003
【図２】
2010240228.tif 000004
【図３】
2010240228.tif 000005
【図４】
2010240228.tif 000006
【図５】
2010240228.tif 000007
【図６】
2010240228.tif 000008
【図７】
2010240228.tif 000009
【図８】
2010240228.tif 000010
【図９】
2010240228.tif 000011
【図１０】
2010240228.tif 000012
【図１１】
2010240228.tif 000013
【図１２】
2010240228.tif 000014
【図１３】
2010240228.tif 000015
【図１４】
2010240228.tif 000016